(57)【要約】【課題】本発明の目的は、ケーブル設置時に簡単に接続できるケーブル接続部からいかなる汚染、酸化、または他の可能性のある破片／汚染物質をも除去することができる新規の電気ケーブル・コネクタを提供することである。【解決手段】電気コネクタは内腔と内面とを有する本体を含む。内腔は、電力ケーブルのケーブル導体を受容する大きさを持つ。本体は、内面の長さに沿って配設される溝部を含む。ワイヤ・ブラシ挿入物が溝部内に配置されており、この挿入物は内腔の少なくとも一部分内へ延出する複数の剛毛を含む。ケーブル導体に対してケーブル・ワイヤ・ブラッシング・コネクタを回転させることにより、ケーブル・ワイヤ・ブラッシング・コネクタの内部にケーブル導体を固定する前に、ケーブル導体を清浄化する。【選択図】図９
2016157690.tif 000002
【特許請求の範囲】
【請求項１】
本体とワイヤ・ブラシ挿入物とを備える電気コネクタであって、
前記本体は内腔および内面を有し、前記内腔は電力ケーブルのケーブル導体を受容する大きさを有し、前記本体は前記内面の長さに沿って配設される溝部を有し、
前記ワイヤ・ブラシ挿入物は前記溝部の内部に配置され、さらに、前記内腔の少なくとも一部分内へ延出する複数の剛毛を含むことを特徴とする電気コネクタ。
【請求項２】
前記複数の剛毛は、前記ケーブル導体が前記内腔の内部に挿入された場合に前記ケーブル導体と係合し、前記本体は前記ケーブル導体に対して回転して、前記ケーブル導体の外面をブラッシングすることを特徴とする、請求項１に記載の電気コネクタ。
【請求項３】
前記溝部は前記内面から陥凹した基部と前記内面に隣接した開口部とを含み、前記基部の断面幅が前記開口部の断面幅より広いことを特徴とする、請求項１に記載の電気コネクタ。
【請求項４】
前記電気コネクタは１つまたは複数の位置決めねじ穴部をさらに含み、前記位置決めねじ穴部は前記本体の一部分を貫通して延在し、かつ前記内腔の軸に直交し、位置決めねじを受容することを特徴とする、請求項１に記載の電気コネクタ。
【請求項５】
前記位置決めねじは前記位置決めねじ穴部を通して挿入されると、前記ケーブル導体を前記内面上の接触領域に押し付け、前記溝部は、前記内面の一部分であって前記接触領域の外側にある部分に配置されることを特徴とする、請求項４に記載の電気コネクタ。
【請求項６】
前記内腔は、前記本体の全長に渡って第１の開口部から第２の開口部まで延在することを特徴とする、請求項１に記載の電気コネクタ。
【請求項７】
前記ワイヤ・ブラシ挿入物は剛毛ホルダを有し、前記剛毛ホルダは前記ワイヤ・ブラシ挿入物を前記溝部内部に固定し、かつ前記剛毛を前記内腔の内部に配向することを特徴とする、請求項１に記載の電気コネクタ。
【請求項８】
前記内腔は、第１の端部にある第１の開口部から、前記本体の前記長さの一部分に沿って延在し、前記本体は第２の端部に鋤形部を含むことを特徴とする、請求項１に記載の電気コネクタ。
【請求項９】
前記本体は前記内腔に対して直交して配向される複数の位置決めねじ穴部を含み、前記電気コネクタは複数の位置決めねじを含み、
前記位置決めねじは、前記ケーブル導体が前記内腔の内部に挿入されると、前記位置決めねじ穴部に進入して前記ケーブル導体に接触することを特徴とする、請求項１に記載の電気コネクタ。
【請求項１０】
電気コネクタの内部にケーブル導体を固定する方法であって、
電力ケーブルの所望のケーブル導体を収容する大きさのケーブル・ワイヤ・ブラッシング・コネクタを選択する工程を含み、
前記ケーブル・ワイヤ・ブラッシング・コネクタは本体とワイヤ・ブラシ挿入物とを備え、前記本体は内腔および内面を有し、前記内腔は前記ケーブル導体を受容する大きさを有し、前記本体は前記内面の長さに沿って配設される溝部を有し、前記ワイヤ・ブラシ挿入物は前記溝部の内部に配置され、さらに、前記内腔の少なくとも一部分内へ延出する複数の剛毛を含み、
前記方法は、さらに、
前記ケーブル・ワイヤ・ブラッシング・コネクタの端部内に前記ケーブル導体を挿入する工程と、
前記ケーブル導体に対して前記ケーブル・ワイヤ・ブラッシング・コネクタを回転させる工程と、
前記ケーブル・ワイヤ・ブラッシング・コネクタの内部に前記ケーブル導体を固定する工程を含み、前記固定する工程において、前記本体の壁の穴部を通して位置決めねじを挿入して、前記ケーブル導体を前記内面に押し付けることを特徴とする方法。
【発明の詳細な説明】
【技術分野】
【０００１】
本発明は、電力ケーブル接合部において電力ケーブルを接合するための電気ケーブル・コネクタ、あるいは負荷遮断コネクタもしくはデッドブレイク・コネクタなどの分離コネクタに電力ケーブルを接合するための電気ケーブル・コネクタに関する。
【発明の概要】
【発明が解決しようとする課題】
【０００２】
本発明の目的は、ケーブル設置時に簡単に接続できるケーブル接続部から、いかなる汚染、酸化、または他の可能性のある破片／汚染物質をも除去することができる新規の電気ケーブル・コネクタを提供することである。
【課題を解決するための手段】
【０００３】
本発明の一態様によれば、本体とワイヤ・ブラシ挿入物とを備える電気コネクタが提供される。前記本体は内腔および内面を有し、前記内腔は電力ケーブルのケーブル導体を受容する大きさを有し、前記本体は前記内面の長さに沿って配設される溝部を有し、前記ワイヤ・ブラシ挿入物は前記溝部の内部に配置され、さらに、前記内腔の少なくとも一部分内へ延出する複数の剛毛を含む。
【０００４】
本発明の別の態様によれば、電気コネクタの内部にケーブル導体を固定する方法が提供される。本方法は、電力ケーブルの所望のケーブル導体を収容する大きさのケーブル・ワイヤ・ブラッシング・コネクタを選択する工程を含み、前記ケーブル・ワイヤ・ブラッシング・コネクタは本体とワイヤ・ブラシ挿入物とを備え、前記本体は内腔および内面を有し、前記内腔は前記ケーブル導体を受容する大きさを有し、前記本体は前記内面の長さに沿って配設される溝部を有し、前記ワイヤ・ブラシ挿入物は前記溝部の内部に配置され、さらに、前記内腔の少なくとも一部分内へ延出する複数の剛毛を含む。前記方法は、さらに、前記ケーブル・ワイヤ・ブラッシング・コネクタの端部内に前記ケーブル導体を挿入する工程と、前記ケーブル導体に対して前記ケーブル・ワイヤ・ブラッシング・コネクタを回転させる工程と、前記ケーブル・ワイヤ・ブラッシング・コネクタの内部に前記ケーブル導体を固定する工程を含み、前記固定する工程において、前記本体の壁の穴部を通して位置決めねじを挿入して、前記ケーブル導体を前記内面に押し付ける。
【図面の簡単な説明】
【０００５】
【図１】本明細書に記載されているケーブル・コネクタが実装され得る、例示的システムの一部分を示す概略側面図である。
【図２】本明細書に記載されている実装形態による、図１のケーブル・コネクタの簡略等角図である。
【図３】図１のケーブル・コネクタの側面図である。
【図４】図１のケーブル・コネクタの上面図である。
【図５】本明細書に記載されている実装形態による、ワイヤ・ブラシ挿入物の拡大された細部と共に示されている、図１のケーブル・コネクタの端面図である。
【図６】図１のケーブル・コネクタのコネクタ本体の簡略横断面端面図である。
【図７】それぞれ、ワイヤ・ブラシ挿入物の簡略等角図、ワイヤ剛毛ホルダの概略端面図、およびワイヤ剛毛の概略端面図である。
【図８】中で回転しているケーブル導体の横断面と共に示されている、図１のケーブル・コネクタの概略端面図である。
【図９】中に固定されているケーブル導体の横断面と共に示されている、図１のケーブル・コネクタの概略端面図である。
【図１０】本明細書に記載されている実装形態による、ケーブル・ワイヤ・ブラッシング・コネクタを使用して電力ケーブルを接続する例示的プロセスの流れ図である。
【図１１】本明細書に記載されている別の実装形態によるケーブル・コネクタの側面図である。
【発明を実施するための形態】
【０００６】
以下、添付図面を参照して本発明の実施の形態を詳細に説明する。異なる図面の同一参照番号は、同一または類似の要素を同定している可能性がある。
【０００７】
当業界において利用可能なケーブル・コネクタを設置する際には、コネクタが設置されるケーブル導体を設置前にワイヤ・ブラシで掃除すること（以下、「ワイヤ・ブラッシング」と記す）が推奨される。ワイヤ・ブラッシングはケーブル導体の表面上に存在すると想定されるいかなる汚染および／または酸化も除去するために推奨されるものである。
【０００８】
１つの実施例では、一体化されたワイヤ・ブラシ挿入物を含む電気コネクタが提供される。電気コネクタは内腔と内面とを有する本体を含む。内腔は電力ケーブルのケーブル導体を受容する大きさを持つ。本体は内面の長さに沿って配設される溝部を含む。ワイヤ・ブラシ挿入物は溝部内に配置されており、また内腔の少なくとも一部分内へ延出する複数の剛毛を含む。ケーブル導体に対してケーブル・ワイヤ・ブラッシング・コネクタを回転させることにより、ケーブル・ワイヤ・ブラッシング・コネクタの内部にケーブル導体を固定する前に、ケーブル導体を清浄化する。
【０００９】
図１は、本実施形態に係るコネクタが実装され得るコネクタ・システム１０の一例を部分的に示す概略側面図である。同図では、２つの電力ケーブル組立体１２−１および１２−２（総称して「電力ケーブル組立体１２」とも記す）がケーブル・コネクタ１００により接合されている。例えば、電力ケーブル組立体１２−１が電源ケーブルを含み、電力ケーブル組立体１２−２が負荷ケーブルを含むような構成でもよい。
【００１０】
電力ケーブル組立体１２の各々は、電力ケーブル１４をケーブル・コネクタ１００に接続することを可能にするように準備される。各電力ケーブル組立体１２は、例えば、電力ケーブル１４と、アダプタ１６と、ケーブル・レセプタクル１８と、ケーブル導体２０とを含む。図１に示されている通り、各アダプタ１６は、ケーブル導体２０に対して後方に配設される。アダプタ１６は電力ケーブル１４に取り付けられ、各ケーブル・レセプタクル１８の後部との摩擦係合を実現する。１つの実装例では、アダプタ１６は、ゴム、熱可塑性物質、またはエポキシ樹脂などの絶縁材料で形成される。
【００１１】
以下にさらに詳細に記載するように、ケーブル・コネクタ１００は、一方のケーブルに供給される電力が他方のケーブルに送られるように、電力ケーブル組立体１２を相互接続する。ケーブル・コネクタ１００は、電力ケーブル１４のケーブル導体２０を中に受容する略円筒形の組立体を含むようにしてもよい。電力ケーブル組立体１２の接続中、位置決めねじ２２またはボルトがケーブル・コネクタ１００の側壁の開口部を通して挿入され、ケーブル・コネクタ１００の内部にケーブル導体２０を物理的に固定することができる。１つの実装例では、位置決めねじ２２は、特定の最大トルクがかかると位置決めねじ２２の最上部が折れて取れるように設計されている剪断ボルトを含む。
【００１２】
いくつかの実装例では、コネクタ・システム１０は保護スリーブ、被包（ｗｒａｐ）、絶縁体、および／または別の保護層内に配置される。本明細書では２つのケーブルを接続するために使用するように記載しているが、他の実装例では、ケーブル・コネクタ１００を他のタイプの接続で使用するために改変することができる。例えば、ある実装例では、ケーブル・コネクタ１００は、分離コネクタなどの別の接続システムの内部に固定され得る一方の端部に、鋤形部または別のタイプの接続部を含んでいてもよい。
【００１３】
図２は本実施形態に係るケーブル・コネクタ１００の簡略等角図である。図３はケーブル・コネクタ１００の側面図であり、図４は上面図である。図５は本実施形態に係るケーブル・コネクタ１００の端面図であり、ワイヤ剛毛ホルダを拡大して共に示す。図６は、ケーブル・コネクタ１００のコネクタ本体の簡略横断面端面図である。
【００１４】
図２〜図６をまとめて参照すると、ケーブル・コネクタ１００は略円筒形の本体１０２を含む。円筒形本体１０２は軸方向（軸１０５に沿う方向）の内腔１０４を含み、この内腔は両端部に開口部１０６、１０８を備え、ケーブル導体２０を受容する大きさを持つ。円筒形本体１０２の内面１１０が軸方向内腔１０４の長さに沿って延在している。円筒形本体１０２は、一般に、位置決めねじ２２（図１）が挿入されてケーブル導体２０を内面１１０に押し付けた場合にケーブル導体２０を物理的に支持するのに十分な壁厚１１２を有する。また壁厚１１２は、ケーブル導体２０間に（例えば、設計上の制限値まで）電流を流すのに必要な断面積を持てば十分である。円筒形本体１０２は、銅、アルミニウム、銅−アルミニウム合金等の導電性材料で形成（例えば機械加工）することができる。
【００１５】
本実施形態によれば、円筒形本体１０２は１つまたは複数の溝部１２０と１つまたは複数の位置決めねじ穴部１３０とを含む。溝部１２０は内面１１０に沿って延在する。ある実装例では、溝部１２０は軸１０５に平行な本体１０２の軸方向の全長に沿って延在し、他の実装形態では、本体１０２の軸方向長さの１つまたは複数の部分に沿って延在する。さらにその他の実装例では、溝部１２０は本体１０２の軸方向長さに沿った内面１１０の一部分に沿って螺旋経路を形成する。各溝部１２０は、円筒形本体１０２の内部で陥凹した（つまり内面１１０から遠ざかる位置に形成される）溝基部１２２と、内面１１０に隣接して軸方向内腔１０４に面している溝開口部１２４とを含む。ある実装例（例えば、図６に示すような例）では、溝部１２０の断面形状は、溝基部１２２の断面幅Ｗ１とこれより広い溝開口部１２４の断面幅Ｗ２を有する台形に類似する。実際の幅Ｗ１およびＷ２はケーブル・コネクタ１００の大きさに依存して変わる。
【００１６】
位置決めねじ穴部１３０の各々は、円筒形本体１０２と軸方向内腔１０４の軸１０５に対して略直交する方向で、円筒形本体１０２を貫通する穴部をもたらす。位置決めねじ穴部１３０の各々は、ねじ山が付けられており（分かり易くするために、ねじ切りは図に示されていない）、位置決めねじ２２を受容する大きさを持つ。ケーブル導体２０がケーブル・コネクタ１００の軸方向内腔１０４の内部に配置されると、位置決めねじ２２は位置決めねじ穴部１３０を通して挿入されて、円筒形本体１０２の内部にケーブル導体２０を固定し、かつケーブル導体２０と円筒形本体１０２との間の接触を確実にする。
【００１７】
ケーブル・コネクタ１００は溝部１２０の各々の内部にワイヤ・ブラシ挿入物１４０を含む。図７Ａはワイヤ・ブラシ挿入物１４０の簡略等角図である。ワイヤ・ブラシ挿入物１４０は、ワイヤ剛毛ホルダ１４２とワイヤ剛毛１４４とを含み得る。図７Ｂはワイヤ剛毛１４４の概略端面図であり、図７Ｃはワイヤ剛毛ホルダ１４２の概略端面図である。ワイヤ剛毛ホルダ１４２は基部を有し、この基部によりワイヤ剛毛１４４を保持するとともに、溝部１２０の１つの内部にワイヤ・ブラシ挿入物１４０を固定する。ワイヤ剛毛ホルダ１４２の基部１４６は断面幅Ｗ３を有し、この幅Ｗ３は溝部１２０の内部に嵌合し得る幅であり、かつ溝開口部１２４の断面幅Ｗ２（図６）より広く断面幅Ｗ１より狭い。このようにして、ワイヤ剛毛ホルダ１４２を溝部１２０の内部に拘束し、軸方向内腔１０４内に移動しないようにすることができる（例えば、ケーブル導体が軸方向内腔１０４内に挿入されていない場合）。一対の側壁１４８が基部１４６から延在する。側壁１４８はワイヤ剛毛１４４を握持して、ワイヤ剛毛１４４をワイヤ・ブラシ挿入物１４０の内部に保持する。側壁１４８の高さは、側壁が軸方向内腔１０４内へ延在してケーブル導体２０に接触することのないように、溝部１２０の深さ未満か等しい高さにするとよい。
【００１８】
ワイヤ剛毛１４４は側壁１４８の上面を越えて延出するように、またワイヤ剛毛が溝部１２０内に設置された場合には溝部１２０の深さを越えて延出するように配置することができる。ワイヤ・ブラシ挿入物１４０が溝部１２０内に挿入された場合、ワイヤ剛毛ホルダ１４２はワイヤ剛毛１４４を軸方向内腔１０４内に向けた状態に保つことができる。ワイヤ剛毛１４４は、ケーブル導体２０の外面から錆、酸化、腐食等を除去するのに十分な剛性を持つステンレス鋼、アルミニウム、真鍮等の材料から作製することができる。１つの実装例では、ワイヤ剛毛１４４は、接続ワイヤもしくは別の接続形式（図示せず）により繋ぎ合わせるか、縒り合わせるか、または別の何かのやり方でワイヤ剛毛ホルダ１４２の内部に取り付けることができる。
【００１９】
１つの実装例では、ワイヤ剛毛ホルダ１４２は、単一の金属シートから製造して、溝部１２０内に保持され得る形状（例えば、図５および図７Ｃに示す形状）に形成する（例えば、曲げる）ことができる。別の実装例では、ワイヤ剛毛ホルダ１４２は鋳造または別の方法で製造することができる。ワイヤ剛毛ホルダ１４２は、例えばステンレス鋼またはその他の非腐食性材料から作製することができる。１つの実装例態では、ワイヤ・ブラシ挿入物１４０は、圧入（締まり嵌めまたは摩擦嵌合とも呼ばれる）により、溝部１２０内に長さ方向に（すなわち、軸１０５に平行に）保持することができる。別の実装例では、基部１４６は、一端または両端に小突出部（例えば、図１１の１５２）またはクリップを含み、開口部１０６および／または開口部１０８において円筒形本体１０２に係合してもよい。
【００２０】
ワイヤ・ブラシ挿入物１４０をどちらかの開口部１０６または１０８から軸１０５に平行に溝部１２０内に滑動させることにより、同挿入物を溝部１２０内に挿入することができる。ワイヤ・ブラシ挿入物１４０が溝部１２０内に挿入されると、ワイヤ剛毛１４４は溝部１２０を超えて円筒形本体１０２の軸方向内腔１０４内へ延出する。図８はケーブル・コネクタ１００の概略端面図であり、コネクタ内で回転しているケーブル導体２０の断面を共に示す。図８に示す通り、ケーブル導体２０がケーブル・コネクタ１００のどちらかの端部内に挿入された場合、ワイヤ剛毛１４４はケーブル導体２０に接触する。ケーブル導体２０に対してケーブル・コネクタ１００を少なくとも１８０度回転させることにより、軸方向内腔１０４内部にあるケーブル導体２０の外面全体に、ワイヤ剛毛１４４が係合する。別の例では、ケーブル・コネクタ１００内のワイヤ・ブラシ挿入物１４０を１個にして、ケーブル導体２０に対してケーブル・コネクタ１００が３６０度１回転するとワイヤ剛毛１４４が軸方向内腔１０４の内部でケーブル導体２０の外面の円周全体に係合するという構成にしてもよい。
【００２１】
図９はケーブル・コネクタ１００の概略端面図であり、コネクタ内に固定されているケーブル導体２０の断面を共に示す。例えば図９に示す通り、位置決めねじ２２がケーブル導体２０に当てられた（またはそれに接触した）場合に、ワイヤ・ブラシ挿入物１４０と位置決めねじ２２との接触は回避する一方で、内面１１０とケーブル導体２０との接触は許容するように、溝部１２０を円筒形本体１０２の内面１１０に沿って配置することができる。例えば図９に示す通り、内面１１０に沿った接触区域１５０を、位置決めねじ穴部１３０の概ね反対側に形成してもよい。接触区域１５０では挿入された位置決めねじ２２からの力で、ケーブル導体２０が内面１１０に押圧される。溝部１２０およびワイヤ・ブラシ挿入物１４０は、位置決めねじ２２の挿入を可能にするように配置される。さらに、溝部１２０およびワイヤ・ブラシ挿入物１４０は、ケーブル導体２０が接触区域１５０の範囲内で内面１１０を押圧するように配置される。１つの実装例では溝部１２０は接触区域１５０の外側に配置される。別の実装例では溝部１２０は、例えば、接触区域１５０の両側から、内面１１０に沿って、径方向に少なくとも２０度の所に配置され得る。ワイヤ剛毛１４４は、挿入された位置決めねじ２２がケーブル導体２０を接触区域１５０の方へ押すと、変形するかまたは撓む。
【００２２】
溝部１２０とワイヤ・ブラシ挿入物１４０を２組以上使用する場合、溝部１２０とワイヤ・ブラシ挿入物１４０は、内面１１０の周りに対称または非対称の位置に配置される。例えば、図６に示す通り、２組の溝部１２０が互いの中点が約１８０度離れた状態で配置される。他の実装例では、溝部１２０の中点は１８０度未満の位置に配置してもよい。また、当然のことながら、３組以上の溝部１２０／ワイヤ・ブラシ挿入物１４０を様々な実装例において使用することができる。
【００２３】
図１０は、本実施形態に係るケーブル・ワイヤ・ブラッシング・コネクタを使用して電力ケーブルを接続する例示的プロセス１０００の流れ図である。プロセス１０００は、所望のサイズのケーブル・ワイヤ・ブラッシング・コネクタを選択する選択ステップを含む（ブロック１０１０）。例えば、技術者が軸方向内腔１０４の内部にケーブル導体２０を受容するのに適切な直径を有するコネクタ１００を選択する。コネクタ１００は１つまたは複数のワイヤ・ブラシ挿入物１４０を含む。
【００２４】
プロセス１０００はケーブル導体をコネクタ端部に挿入する挿入ステップを含み（ブロック１０２０）、さらにケーブル導体に対してコネクタを回転させる回転ステップ（ブロック１０３０）を含む。例えばワイヤ・ブラシ挿入物１４０の剛毛１４４がケーブル導体２０に接触するように、技術者がケーブル導体２０をコネクタ１００の軸方向内腔１０４内に挿入する。ケーブル導体２０を軸方向内腔１０４内に挿入した後、技術者はコネクタ１００またはケーブル導体２０のどちらかを回転させて、ワイヤ剛毛１４４を導体２０の外面に接触させ、該外面を擦らせる。コネクタ１００内のワイヤ・ブラシ挿入物１４０の配置および数に応じて、技術者はコネクタを最大３６０度回転させて、軸方向内腔１０４の内部にあるケーブル導体２０の表面の全外周にワイヤ剛毛１４４が確実に接触するようにする。１つの実装例では、何度も往復回転させて、ケーブル導体２０の表面上に存在するであろう汚染および／または酸化を除去する。
【００２５】
また、プロセス１０００は、コネクタの内部にケーブル導体を固定する固定ステップを含む（ブロック１０４０）。例えば、コネクタ１００からケーブル導体２０を取り外すことなく、技術者が位置決めねじ２２をコネクタ１００内へ締め付けて、ケーブル導体２０を軸方向内腔１０４に固定する。１つの実装例では、位置決めねじ２２はケーブル導体２０を接触領域１５０に押し付け、若干変形させる。また、ケーブル導体２０が変形するとワイヤ剛毛１４４も変形することがある。ワイヤ剛毛１４４は溝部１２０内に戻るように曲がるか、あるいはケーブル導体２０と表面１１０との間に捕捉される（または保持される）。このような状況でも、ワイヤ剛毛１４４は電気接続（例えば、ケーブル導体２０と本体１０２との間の電気接続）を妨げることはない。
【００２６】
図１１は本実施形態に係る別のケーブル・コネクタの側面図である。同図に示す通り、ケーブル・コネクタ１１００は一方の端部に開口部１０６（ケーブル・コネクタ１００のものと同様の開口部）を有し、円筒形本体１０２、軸１０５に沿った軸方向内腔（参照符号は付けない、例えば軸方向内腔１０４と同様の内腔）、１つまたは複数の溝部１２０、位置決めねじ穴部１３０、およびワイヤ・ブラシ挿入物１４０を含む。ケーブル・コネクタ１００と異なり、ケーブル・コネクタ１１００は、軸方向内腔、溝部１２０、位置決めねじ穴部１３０、およびワイヤ・ブラシ挿入物１４０が終端する移行領域１６０を含む。移行領域１６０は円筒形本体１０２を鋤形部１６２に接続する。鋤形部１６２は別のコネクタ（図示せず）に接続することができる。例えば、鋤形部１６２内の穴部と別のコネクタの鋤形部の穴部にねじ付き締め具を通すことができる。
【００２７】
図１１をさらに参照すると、突出部１５２（またはクリップ）がワイヤ・ブラシ挿入物１４０（例えば、ワイヤ剛毛ホルダ１４２）の端部に形成されている。突出部１５２は溝部１２０の端部を超えて延在し、ワイヤ・ブラシ挿入物１４が溝部１２０内で軸１０５に平行に移動するのを阻止するようにしてもよい。他の実装例では、例えば溝部１２０が本体１０２の各端部の開口部まで延在している例では、突出部１５２はワイヤ・ブラシ挿入物１４０の両端に含まれていてもよい。
【００２８】
本実施形態によれば、電気コネクタは内腔と内面とを有する円筒形本体を含む。内腔は本体の長さ方向の端から端まで、第１の開口部から第２の開口部まで延在しており、電力ケーブルのケーブル導体を受容する大きさを有する。本体は、内面の長さの第１の部分に沿って配設されている第１の溝部と、内面の長さの第２の部分に沿って配設されている第２の溝部とを含む。第１のワイヤ・ブラシ挿入物が第１の溝部内に配設され、第２のワイヤ・ブラシ挿入物が第２の溝部内に配設される。第１のワイヤ・ブラシ挿入物と第２のワイヤ・ブラシ挿入物は、各々、内腔の少なくとも一部分内へ延出している複数のワイヤ剛毛を含む。ワイヤ剛毛は、いかなる電気接続も妨げることなく、ケーブル導体から汚染、酸化、または他の可能性のある破片／汚染物質を除去するのに使用され得る。
【００２９】
前述のケーブル・ワイヤ・ブラッシング・コネクタは、ワイヤ・ブラシを電気コネクタに組み込み、それにより、接続する時に推奨されるワイヤ・ブラッシング操作を怠る可能性を低減している。エンドユーザは、ケーブル導体を覆うようにしてコネクタを挿入した後、単にコネクタを回転させれば済み、それによりケーブル導体から汚染を除去することができる。また、ワイヤ・ブラシがコネクタの内部に一体化されているので、全体的な設置時間を低減することができる。
【００３０】
上述の説明は例示および説明を与えるが、本発明を上述した詳細な形に限定することを意図するものではない。前述の教示を元にして、または実施形態を実施する際の経験から種々の修正および変形が得られるであろう。例えば、本実施形態は他の装置（１５ｋＶ、２５ｋＶまたは３５ｋＶの装置を含む高圧、中圧または低圧の開閉器装置など）と併用することも可能である。
【００３１】
以上本発明を詳細に説明したが、本発明の精神から逸脱することなく本発明を修正し得ることが当業者には明らかであることを明確に理解されたい。形態、設計または配置の種々の変更を、本発明の精神および範囲から逸脱することなく本発明に施すことができる。したがって、前述の記載は限定的ではなく例示的とみなされるべきであり、本発明の真の範囲は、以下の特許請求の範囲において定められている範囲である。
【００３２】
本実施形態の説明において用いられている要素、動作、または命令は、そのように明記されていない限り、本発明に絶対不可欠または必須であるとみなされるべきではない。また、本明細書に用いられている冠詞「ａ」は１つまたは複数の要素を含むことが意図されている。さらに、「〜に基づいて（ｂａｓｅｄ  ｏｎ）」という用語は、特に明記されていない限り、「〜に少なくとも部分的に基づいて」を意味することが意図されている。
【図３】
2016157690.tif 000003
【図４】
2016157690.tif 000004
【図５】
2016157690.tif 000005
【図７】
2016157690.tif 000006
【図１０】
2016157690.tif 000007
【図１１】
2016157690.tif 000008
【図１】
2016157690.tif 000009
【図２】
2016157690.tif 000010
【図６】
2016157690.tif 000011
【図８】
2016157690.tif 000012
【図９】
2016157690.tif 000013
【外国語明細書】
2016157690.tif 000014
2016157690.tif 000015
2016157690.tif 000016
2016157690.tif 000017
2016157690.tif 000018
2016157690.tif 000019
2016157690.tif 000020
2016157690.tif 000021
2016157690.tif 000022
2016157690.tif 000023
2016157690.tif 000024
2016157690.tif 000025
2016157690.tif 000026
2016157690.tif 000027
2016157690.tif 000028
2016157690.tif 000029
2016157690.tif 000030
2016157690.tif 000031
2016157690.tif 000032
2016157690.tif 000033
2016157690.tif 000034
2016157690.tif 000035
2016157690.tif 000036
2016157690.tif 000037
2016157690.tif 000038
2016157690.tif 000039
2016157690.tif 000040